(57)【要約】      （修正有）【課題】折り畳み組立体を提供する。【解決手段】折り畳み組立体であって、第１部分１００と第２部分２００と連結組立体３００とを含む。第２部分２００は、第１結合部材２１０と第２結合部材２２０とを含む。連結組立体３００は、第１クランク３１０と第２クランク３２０とを含み、第１クランク３１０が第１部分１００に連結される。第１部分１００及び第２部分２００は、各自軸線に沿って回転開閉させることで、第１部分１００の一端と第２部分２００の一端を互いに離れ又は接近させるよう設けられる。第２クランク３２０は、第１部分１００及び第２部分２００が各々第１角度を呈した時、第２クランク３２０と第１結合部材２１０を結合し、第１部分１００及び第２部分２００が各々第２角度を呈した時、第２クランク３２０と第２結合部材２２０を結合するよう設けられる。【選択図】図１Ｂ
0003216413.tif 000002
【実用新案登録請求の範囲】
【請求項１】
第１部分と、
第１結合部材と第２結合部材とを含む第２部分と、
第１クランクと第２クランクとを含み、前記第１クランクが前記第１部分に連結される連結組立体と、
を含む折り畳み組立体において、
前記第１部分及び前記第２部分は、各自軸線に沿って回転開閉させることで、前記第１部分の一端と前記第２部分の一端を互いに離れ又は接近させるよう設けられ、かつ、
前記第２クランクは、前記第１部分及び前記第２部分が各々第１角度を呈した時、前記第２クランクと前記第１結合部材を結合し、前記第１部分及び前記第２部分が各々第２角度を呈した時、前記第２クランクと前記第２結合部材を結合するよう設けられることを特徴とする、折り畳み組立体。
【請求項２】
前記第２クランクは、前記第２クランクと前記第１結合部材又は前記第２結合部材との結合或いは分離を制御できるよう設けられる操作部を更に含むことを特徴とする、請求項１に記載の折り畳み組立体。
【請求項３】
前記操作部は、圧嵌構造で、前記第２クランクが挟み込み部を更に含み、前記挟み込み部は前記圧嵌構造が開き状態となった時、前記挟み込み部が挟み込み状態となり、前記圧嵌構造が圧嵌状態となった時、前記挟み込み部が開き状態となるよう設けられることを特徴とする、請求項２に記載の折り畳み組立体。
【請求項４】
前記第１部分及び前記第２部分が回転する時、前記第１クランク及び前記第２クランクが軸線に沿って対応して回転することを特徴とする、請求項１に記載の折り畳み組立体。
【請求項５】
回転部材を更に含み、前記回転部材は各々前記折り畳み組立体の第１部分の一端及び前記折り畳み組立体の第２部分の一端に連結される第１部分と第２部分とを含み、かつ前記回転部材は前記折り畳み組立体の第１部分及び前記折り畳み組立体の第２部分が前記第２角度を呈した時、前記回転部材の第１部分が前記回転部材の第２部分に当接するよう設けられることを特徴とする、請求項１に記載の折り畳み組立体。
【請求項６】
２つの第１部分と、
第２部分と
前記２つの第１部分の間に位置し、かつ前記２つの第１部分を連結し、その上部表面に前記第２部分に接近する第１面及び前記第２部分から離れた第２面を有する連結部材と、
を含む折り畳み組立体において、
前記２つの第１部分及び前記第２部分は、各自軸線に沿って回転開閉させることで、前記２つの第１部分の一端と前記第２部分の一端を互いに離れ又は接近させるよう設けられ、かつ、
前記第２面の高さは、前記第１面の高さより高いことを特徴とする、折り畳み組立体。
【考案の詳細な説明】
【技術分野】
【０００１】
本考案は、折り畳み組立体に関し、特に、約１８０度に開くと共に角度を固定できる折り畳み組立体に関する。高さの異なる場所に登る際にも使用できる。
【背景技術】
【０００２】
従来の脚立の開脚角度は、脚立間の連結組立体の長さ制限を受けるため、更に開脚してより高いところに登ることができない。従来の脚立の踏さんは、使用者に後傾防止構造が提供されていないため、比較的危険である。従来の脚立は、使用者に工具を置かせるトレイ部材もないため、比較的不便であった。
【０００３】
これにより、従来の折り畳み組立体を改善するため、更に開脚することができ、使用者の後傾を防止でき、並びにトレイ機能の設計が求められていた。
【考案の概要】
【考案が解決しようとする課題】
【０００４】
本考案は、上記問題を解決するため、折り畳み組立体を提供することを目的とする。
【課題を解決するための手段】
【０００５】
本考案の一実施形態において、折り畳み組立体は、第１部分と第２部分と連結組立体とを含む。該第２部分は、第１結合部材と第２結合部材とを含む。該連結組立体は、第１クランクと第２クランクとを含み、該第１クランクが該第１部分に連結される。該第１部分及び該第２部分は、各自軸線に沿って回転開閉させることで、該第１部分の一端と該第２部分の一端を互いに離れ又は接近させるよう設けられる。該第２クランクは、該第１部分及び該第２部分が各々第１角度を呈した時、該第２クランクと該第１結合部材を結合し、該第１部分及び該第２部分が各々第２角度を呈した時、該第２クランクと該第２結合部材を結合するよう設けられる。
【０００６】
本考案の一実施形態によれば、該第２クランクは、該第２クランクと該第１結合部材又は該第２結合部材との結合或いは分離を制御できるよう設けられる操作部を更に含む。
【０００７】
本考案の一実施形態によれば、該操作部は、圧嵌構造で、該第２クランクが挟み込み部を更に含み、該挟み込み部は該圧嵌構造が開き状態となった時、該挟み込み部が挟み込み状態となり、該圧嵌構造が圧嵌状態となった時、該挟み込み部が開き状態となるよう設けられる。
【０００８】
本考案の一実施形態によれば、該第１部分及び該第２部分が回転する時、該第１クランク及び該第２クランクが軸線に沿って対応して回転する。
【０００９】
本考案の一実施形態によれば、折り畳み組立体は、回転部材を更に含み、該回転部材が各々該折り畳み組立体の第１部分の一端及び該折り畳み組立体の第２部分の一端に連結される第１部分と第２部分とを含み、かつ該回転部材は該折り畳み組立体の第１部分及び該折り畳み組立体の第２部分が該第２角度を呈した時、該回転部材の第１部分が該回転部材の第２部分に当接するよう設けられる。
【００１０】
本考案の一実施形態において、折り畳み組立体は、２つの第１部分と第２部分と連結部材とを含む。該連結部材は、該２つの第１部分の間に位置し、かつ該２つの第１部分を連結し、該連結部材の上部表面に該第２部分に接近する第１面及び該第２部分から離れた第２面を有する。該２つの第１部分及び該第２部分は、各自軸線に沿って回転開閉させることで、該２つの第１部分の一端と該第２部分の一端を互いに離れ又は接近させるよう設けられる。該第２面の高さは、該第１面の高さより高い。
【考案の効果】
【００１１】
本考案に係る折り畳み組立体の第１部分及び第２部分が１８０度に開き、完全に開脚した折り畳み組立体は壁面等の支持構造に当接することで、より高いところに登ることができる。
【００１２】
上記では本考案の技術的な特徴及び利点を非常に幅広く要約し、下記の本考案の詳細説明をよく理解してもらう。本考案の請求の範囲の標的を構成する他の技術的特徴及び利点を下記に記述する。当業者は、非常に容易に下記概念及び特定の実施形態を利用してその他の構造又は製造プロセスを修正或いは設計して本考案と同じ目的を実現できる。これら均等な改変が添付する請求の範囲で特定する本考案の精神及び範囲から逸脱できないことは、当業者にとって明白である。
【図面の簡単な説明】
【００１３】
【図１Ａ】本考案の一実施形態に係る折り畳み組立体の立体図である。
【図１Ｂ】図１Ａの折り畳み組立体の部分拡大図である。
【図２】図１の折り畳み組立体の側面図である。
【図３】図１の折り畳み組立体の完全開脚状態を示す上面図である。
【図４】図１の折り畳み組立体の完全開脚状態を示す側面図である。
【図５Ａ】本考案の一実施形態に係る連結組立体の分解図である。
【図５Ｂ】本考案の一実施形態に係る連結組立体の第２クランクの分解図である。
【図６Ａ】本考案の一実施形態に係る折り畳み組立体の部分拡大図である。
【図６Ｂ】本考案の一実施形態に係る折り畳み組立体の部分分解図である。
【図７】本考案の一実施形態に係る折り畳み組立体の部分拡大図である。
【図８Ａ】本考案の一実施形態に係る折り畳み組立体の部分拡大図である。
【図８Ｂ】本考案の一実施形態に係る折り畳み組立体の部分分解図である。
【考案を実施するための形態】
【００１４】
図１Ａは、本考案の一実施形態に係る折り畳み組立体１０の立体図である。図１Ｂは、図１Ａの折り畳み組立体１０の部分拡大図である。図２は、図１の折り畳み組立体１０の側視図である。図３は、図１の折り畳み組立体１０の完全開脚状態を示す上面図である。図４は、図１の折り畳み組立体１０の完全開脚状態を示す側面図である。図５Ａは、本考案の一実施形態に係る連結組立体３００の分解図である。図５Ｂは、本考案の一実施形態に係る連結組立体３００の第２クランク３２０の分解図である。図６Ａは、本考案の一実施形態に係る折り畳み組立体１０の部分拡大図である。図６Ｂは、本考案の一実施形態に係る折り畳み組立体１０の部分分解図である。
【００１５】
図１乃至図６Ｂを参照すると、折り畳み組立体１０は、２つの第１部分１００と２つの第２部分２００と２つの連結組立体３００と２つの回転部材４００と複数の連結部材５００とを含む。第２部分２００の表面上に第１結合部材２１０及び第２結合部材２２０を有する。第１部分１００及び第２部分２００の各自一端は、回転部材４００を通じて連結され、かつ回転部材４００の軸線に沿って回転開閉させることで、第１部分１００の他端と第２部分２００の他端を互いに離れ又は接近させる。
【００１６】
図５Ａ及び図５Ｂに示すように、連結組立体３００は、第１クランク３１０と第２クランク３２０とを含む。第１クランクは、第１端３１２と第２端３１４とを含む。第２クランク３２０は、第１端３２２と第２端３２４とを含む。第１端３１２は、第１部分１００の表面に固結される。第２端３１４は、第２クランク３２０の第２端３２４に連結される。第２クランク３２０は、第１部分１００及第２部分２００が第１角度θ１（図２）になった時又は第１角度θ１範囲内に回転した時、第２クランク３２０と第１結合部材２１０を結合し、第１部分１００及び第２部分２００が完全開脚状態になって第２角度θ２（図４）を呈した時、第２クランク３２０と第２結合部材２２０を結合するよう設けられる。第２角度θ２は、１８０度とすることができる。第１部分１００及び第２部分２００が回転された時、第１クランク３１０及び第２クランク３２０は軸線に沿って対応して回転する。
【００１７】
第２クランク３２０は、操作部３２６と挟み込み部３２８と弾性部３２５とを含むことができる。挟み込み部３２８は、第１端３２２に位置することができる。操作部３２６は、第２クランク１００と第１結合部材２１０又は第２結合部材２２０との結合或いは分離を制御できるよう設けられる。操作部３２６は、第１部分３２６１と第２部分３２６２とを含む圧嵌構造とすることができる。挟み込み部３２８は、第１部分３２８１と第２部分３２８２とを含むことができ、かつ操作部３２６が開き状態となった時、挟み込み部３２８が挟み込み状態となり、操作部３２６が圧嵌状態となった時，挟み込み部３２８が開き状態となるよう設けられる。本実施形態において、第１部分３２６１及び第１部分３２８１は、一体成形構造で、かつ互いに連動される。弾性部３２５は、リング状バネ構造とすることができ、その両端が各々該一体成形構造及び第２クランク３２０の内表面に当接され、これを介して操作部３２６に対して開き力を加える。操作部３２６の第１部分３２６１及び第２部分３２６２を押す外力がない時、操作部３２６は開き状態を維持して挟み込み部３２８を挟み込み状態に維持させる。第１部分３２６１及び第２部分３２６２は、更にキャップ３２６１Ｃ及びキャップ３２６２Ｃで覆われて保護され、操作に便利である。
【００１８】
例えば折り畳み組立体１０は、図１の直立状態から図４の完全開脚状態に開脚する時、操作部３２６の第１部分３２６１及び第２部分３２６２を押すことによって、挟み込み部３２８を開かせて第１結合部材２１０と分離する。次に、折り畳み組立体１０の第１部分１００及び第２部分２００を１８０度に開いてから挟み込み部３２８を第２結合部材２２０に結合して固定する。完全に開脚した折り畳み組立体１０は、壁面等の支持構造に当接することで、より高いところに登ることができる。
【００１９】
図２、図６Ａ及び図６Ｂに示すように、回転部材４００は、第１部分４１０と第２部分４２０とを含む。第１部分４１０及び第２部分４２０は、各々折り畳み組立体１０の第１部分１００の一端及び第２部分２００の一端に連結される。回転部材４００は、折り畳み組立体１０の第１部分１００及び第２部分２００が完全に開いて第２角度θ２を呈した時、回転部材４００の第１部分４１０が第２部分４２０に当接して固定されるよう設けられる。
【００２０】
第２部分４２０は、第１端４２２と第２端４２４と当接部４２６とを含む。第１端４２２は、第２部分２００内に固定され、第２端４２４が第１部分４１０と連結され、かつ第１部分４１０に対して回転できる。当接部４２６は、第１部分４１０に当接するために用いられる。本実施形態は、キャップ４２７を更に含み、第２部分４２０と第２部分２００を固定すると共に第２部分２００の露出した内部空間を遮蔽するために用いられる。第１部分４１０と第１部分１００の関係は、上記と類似するため、ここでその説明を省略する。
【００２１】
図７は、折り畳み組立体１０の部分拡大図である。連結部材５００は、２つの第１部分１００の間に位置し、かつ２つの第１部分１００を連結する。連結部材５００の上部表面に第２部分２００に接近する的第１面５１０及び第２部分２００から離れた第２面５２０を有する。垂直方向において、第２面５２０の高さは、第１面５１０の高さより高い。この設計は、使用者が折り畳み組立体１０に登った時後傾のリスクを軽減でき、前傾支持を提供する。
【００２２】
図８Ａは、本考案の一実施形態に係る折り畳み組立体１５の部分拡大図である。図８Ｂは、折り畳み組立体１５の部分分解図である。折り畳み組立体１５は、折り畳み組立体１０上にトレイ構造６００を増設する。折り畳み組立体１０は、固定具６０２を含むことができ、固定具が突出しかつ異なる幅を有する構造とすることができる。トレイ構造６００は、固定部６０４を含むことができ、固定部が異なる幅を有する溝構造とすることができる。固定具６０２は、挿抜又は嵌込等の方式により固定部６０４と結合することができる。トレイ構造６００は、使用者に工具を置かせることができる。
【符号の説明】
【００２３】
１０、１５…折り畳み組立体、１００…第１部分、２００…第２部分、２１０…第１結合部材、２２０…第２結合部材、３００…連結組立体、３１０…第１クランク、３１２…第１端、３１４…第２端、３２０…第２クランク、３２２…第１端、３２４…第２端、３２５…弾性部、３２６…操作部、３２６１…第１部分、３２６２…第２部分、３２６１Ｃ…キャップ、３２６２Ｃ…キャップ、３２８…挟み込み部、３２８１…第１部分、３２８２…第２部分、４００…回転部材、４１０…第１部分、４２０…第２部分、４２２…第１端、４２４…第２端、４２６…当接部、４２７…キャップ、５００…連結部材、５１０…第１面、５２０…第２面、６００…トレイ構造、６０２…固定具、６０４…固定部、θ１…第１角度、θ２…第２角度。
【図１Ａ】
0003216413.tif 000003
【図１Ｂ】
0003216413.tif 000004
【図２】
0003216413.tif 000005
【図３】
0003216413.tif 000006
【図４】
0003216413.tif 000007
【図５Ａ】
0003216413.tif 000008
【図５Ｂ】
0003216413.tif 000009
【図６Ａ】
0003216413.tif 000010
【図６Ｂ】
0003216413.tif 000011
【図７】
0003216413.tif 000012
【図８Ａ】
0003216413.tif 000013
【図８Ｂ】
0003216413.tif 000014